(57)【要約】【課題】  十分な大きさの操作キーボタンを有する操作面を備えた携帯端末装置を提供すること。【解決手段】  操作面側を開口して箱状のキャビネット１０を形成し、操作キーボタン２０１が配設された操作面を有するキーパネル２０２を形成し、キャビネット１０の内壁と相対する側壁を有してキャビネット１０に組み込まれるシャーシ４０を形成し、キーパネル２０２の縁とシャーシ４０の側壁とを取付ける取付け部７０を形成し、キーパネル２０２をシャーシ４０に側方で取付け部７０によって取付けてキャビネット１０に開口側から組み込む。【選択図】    図２
2009049957.tif 000002
【特許請求の範囲】
【請求項１】
少なくとも操作キーボタンが配列された操作面を形成するキーパネルを前記操作キーボタンに対応するスイッチが配列されたキー基板上に設けてなる携帯端末装置であって、
前記操作面側を開口として形成された箱状のキャビネットと、
前記キー基板が配置されるスペースと前記キャビネットの内壁と相対する側壁を有して前記キャビネットに組み込まれるシャーシと、
前記キーパネルの縁と前記シャーシの側壁とを固定して前記キー基板上に該キーパネルを取付けるための取付け部と、
を備え、
前記キーパネルを取り付けたシャーシが前記キャビネットに開口側から組み込まれることによって前記取付け部が前記シャーシと前記キャビネットの間に挟持されることを特徴とする携帯端末装置。
【請求項２】
前記キーパネルは、中央部分を膨出させて湾曲状に形成したことを特徴とする請求項１に記載の携帯端末装置。
【請求項３】
前記キーパネルの表面には前記操作キーの区分を示す溝が形成されていることを特徴とする請求項１に記載の携帯端末装置。
【請求項４】
前記取付け部は、前記キーパネルの縁から前記シャーシの側壁に向かって突出して設けられた取付け片と、該取付け片に形成された貫通孔と、該側壁に形成されたネジ穴とからなり、該取付け片が該シャーシの側壁にネジ止めによって固定されることを特徴とする請求項１に記載の携帯端末装置。
【発明の詳細な説明】
【技術分野】
【０００１】
本発明は携帯端末装置に関し、特に、操作キーのキーパネルの取り付け構造において省スペース化を図った携帯端末装置に関する。
【背景技術】
【０００２】
従来、折り畳み式携帯電話機においては、液晶ディスプレイを具えた第１の筐体と、複数の操作キーを具えた第２の筐体とがヒンジ機構を介して互いに開閉可能に連結されている。そして、該ヒンジ機構によって、通話時やメール機能の使用時には、第１の筐体と第２の筐体を略１８０度に近い開き角度まで開くことが可能であるとともに、携帯時には、第１の筐体と第２の筐体の表面どうしを互いに突き合わせて２つに折り畳むことが可能となっている。
【０００３】
このような折り畳み式携帯電話機の従来例としては、例えば、下記の特許文献１（特開２００３−８７０８号公報）に記載されている。この携帯電話機は操作面にテンキー、電源キー、各種操作用のキーなどの操作キーが配設されている。操作キーは一部が弾性材からなるゴム部材上に形成されている。これら操作キーは筐体を構成するフロントケースに予め形成された開口から外部に露出されている。これらの操作キーの下面には夫々スイッチが対応して設けられたプリント基板が筐体を構成するリアケースに収容されている。
【０００４】
この携帯電話機の筐体はフロントケースとリアケースの２つの部材に分割可能な構造になっている。これを組み立てるには、フロントケースの裏面にゴム部材を取り付け、ゴム部材の裏面にプリント基板を取り付ける。そして、操作キーは開口を介して外部に露出させた状態でフロントケースとリアケースとを一体に取り付ける。
【０００５】
このようにして組み立てられた携帯電話機は、使用者が筐体の開口から外部に露出した操作キーを押してスイッチを作動させて操作を行っていた。
【特許文献１】特開２００３−８７０８号公報（段落［００４０］〜段落［００４６］、図２）
【発明の開示】
【発明が解決しようとする課題】
【０００６】
ところで、今まで主流になっていた折り畳み式の携帯電話機に加えて、最近ではバー状のストレート型やスライド式の携帯電話機も普及しつつある。特に、ハード面の小型、軽量化に加えてデザインを重視した携帯電話機が注目を集めてきており、様々なタイプのものが提案されている。
【０００７】
しかしながら、例えばストレート型携帯端末装置では、装置自体を小型化するために筐体の表面積を大きくすることに限界がある。そのため、操作面を十分に大きくすることができなかった。特に、上記特許文献１に開示された操作キーが設けられたゴム部材の取り付け構造では、ゴム部材をフロントケースの裏から固定するためのフランジが必要となり、また操作キーがフロントケースに形成された開口から外部に露出されているため、操作面はフロントケースの開口を形成する枠部分を必要とし操作キーを十分に大きくすることができない。従って、操作面には複数の操作キーを操作がしやすい大きさで設けることができないという問題点があった。上記の問題点は、携帯端末装置が小型であって、しかも多数の操作キーを必要とするものにあっては極めて重要であった。
【０００８】
そこで、本願の発明者は上記の問題点を解決すべく種々検討を重ねた結果、操作キーが設けられたゴム部材であるキーパネルを筐体の表面から取り付けるようになせば、上記の問題点を解消し得ることを想到し本発明を完成するに至ったものである。すなわち、本発明は、上記の問題点を解消することを課題とし、キーパネルを筐体内部に収容されるシャーシの表から取り付けて側面からネジ固定する構造にすることで、十分な大きさの操作キーボタンを有する操作面を備えた携帯端末装置を提供することを目的とするものである。
【課題を解決するための手段】
【０００９】
前記課題を解決するために、本願の請求項１に係る発明は、少なくとも操作キーボタンが配列された操作面を形成するキーパネルを前記操作キーボタンに対応するスイッチが配列されたキー基板上に設けてなる携帯端末装置であって、前記操作面側を開口として形成された箱状のキャビネットと、前記キー基板が配置されるスペースと前記キャビネットの内壁と相対する側壁を有して前記キャビネットに組み込まれるシャーシと、前記キーパネルの縁と前記シャーシの側壁とを固定して前記キー基板上に該キーパネルを取付けるための取付け部と、を備え、前記キーパネルを取り付けたシャーシが前記キャビネットに開口側から組み込まれることによって前記取付け部が前記シャーシと前記キャビネットの間に挟持されることを特徴とする。
【００１０】
また、本願の請求項２に係る発明は、請求項１に係る携帯端末装置において、前記キーパネルは、中央部分を膨出させて湾曲状に形成したことを特徴とする。
【００１１】
また、本願の請求項３に係る発明は、請求項１に係る携帯端末装置において、前記キーパネルの表面には前記操作キーの区分を示す溝が形成されていることを特徴とする。
【００１２】
また、本願の請求項４に係る発明は、請求項１に係る携帯端末装置において、前記取付け部は、前記キーパネルの縁から前記シャーシの側壁に向かって突出して設けられた取付け片と、該取付け片に形成された貫通孔と、該側壁に形成されたネジ穴とからなり、該取付け片が該シャーシの側壁にネジ止めによって固定されることを特徴とする。
【発明の効果】
【００１３】
本発明は、上述した解決手段により以下に述べるとおりの優れた効果を奏する。即ち、請求項１に係る発明によれば、操作面を形成するキーパネルは、シャーシの側壁に取付け部によって取付けられ、その後にシャーシを箱状のキャビネットに組み込むことによってキャビネットに固定される。
【００１４】
このような構成によれば、キーパネル上に取付け部、支持枠などの部材がなく、キーパネルの隅々まで操作面とすることができるので、各操作キーボタンの面積が大きくなり操作性に優れた携帯端末装置を提供できる。特に、小型の携帯端末装置に適用した場合にその効果が著しい。
【００１５】
また、携帯端末装置の筐体は箱状のキャビネットの１部品で構成することができるので筐体の側面に部品の割り線を生じさせない。そのため、美感上において好適なものとなるのでデザイン性にも優れている。さらにコスト面でも優位である。
【００１６】
また、本願の請求項２に係る発明によれば、請求項１の携帯端末装置において、キーパネルは、中央部分を膨出させて湾曲状に形成されている。
【００１７】
このような構成によれば、キーパネルは湾曲されて表面積が増大されるので、各操作キーボタンの面積が大きくなり操作性を向上させることができる。特に、小型の携帯端末装置に適用した場合にはその効果が著しい。
【００１８】
また、本願の請求項３に係る発明によれば、請求項１の携帯端末装置において、キーパネルの表面には前記操作キーの区分を示す溝が形成されている。
【００１９】
このような構成によれば、溝を細くして操作キーの表面積を大きくとり操作性を向上させることができる。同時に、押圧された操作キーの面の変形状態は溝によって隣接する操作キーに影響を及ぼすことなく隣接する操作キーが不用意に変形して誤動作を生じることがない。
【００２０】
また、本願の請求項４に係る発明によれば、請求項１の携帯端末装置において、取付け部は、キーパネルの縁からシャーシの側壁に向かって突出して設けられた取付け片と、該取付け片に形成された貫通孔と、該側壁に形成されたネジ穴とからなり、該取付け片が該シャーシの側壁にネジ止めによって固定される。
【００２１】
このような構成によれば、キーパネルをシャーシに固定したネジがキャビネットによって挟持されることになるので、固定用のネジが容易に外れることを防止することができる。
【発明を実施するための最良の形態】
【００２２】
以下、本発明の具体例を実施例及び図面を用いて詳細に説明する。ただし、以下に示す実施形態は、本発明の技術思想を具体化するための一実施の形態として携帯電話機を例示するものであって、本発明をこの携帯電話機に特定することを意図するものでなく、特許請求の範囲に含まれるその他の実施形態のものにも等しく適用し得るものである。
【実施例】
【００２３】
以下、本発明の実施例について図面を参照して説明する。図１は実施例における携帯電話機を示す平面図、図２は図１における携帯電話機を分解して示す斜視図、図３は図２におけるキーパネルを分解して示した斜視図、４は図１におけるＡ−Ａ線断面図、図５は図１におけるＢ−Ｂ線断面図である。
【００２４】
携帯電話機１は、図１で示す平面図の状態において、長方形の厚みの薄いキャビネット１０と、キャビネット１０の下方部分に設けられた操作部２０と、キャビネット１０の上方部分に設けられた表示部３０とから構成されている。
【００２５】
操作部２０は、図２、図３で示すように、テンキー、受信キー、送信キーなどの操作キーボタン２０１を表面に配置したキーパネル２０２と、キーパネル２０２の下層に位置したキー基板２０３とから構成されている。複数の操作キーボタン２０１は複数の行と列とによって配列されている。
【００２６】
キャビネット１０は、図２で示すように一面を開口とした箱状に形成されている。このキャビネット１０に上面から取付けられるシャーシ４０が形成されている。シャーシ４０の上方半分における上面には表示部３０が取付けられている。シャーシ４０の下方半分における上面には操作部２０が取付けられている。また、図４、図５で示すように、シャーシ４０の下方半分における下面には主回路基板５０が取付けられている。
【００２７】
キーパネル２０２は、その表面の中央部分が膨出するように湾曲されている。そして、キーパネル２０２は図３で示すように複数の層から形成されている。その構成は表面に配された中央部分が膨出したキートップ２０４と、その下面に配されたラバーシート補強板２０５と、最下面に配された平板状のラバーシート２０６とからなっている。
【００２８】
キートップ２０４は、例えばポリカーボネートの樹脂材からなり、操作キーボタン２０１が縦横に直線状に形成された溝２０７によって区分され、その区分内にテンキー、受信キー、送信キーなどの表示が施されている。ラバーシート補強板２０５は、例えばポリカーボネートの樹脂材からなり、溝２０７に対応した位置に枠２０８を残し、操作キーボタン２０１に対応した位置を切欠いて切欠き部２０９が形成されている。併せて、キートップ２０４の下面には枠２０８が嵌る嵌合用溝２１０が形成されている。ラバーシート２０６は、例えばシリコンゴムからなり、下面には後述するスイッチに対応する位置に突出部２１１が形成されている。また、キー基板２０３上に配設されるマイクロフォン６０に対応した位置を切欠いて切欠き部２１３が形成されている。
【００２９】
キー基板２０３上には操作キーボタン２０１に対応するスイッチ２１２が配置されている。これらのスイッチ２１２はメタルドームスイッチとして構成され全体的に薄い板状になっている。また、キー基板２０３上においては、隣接する４個のスイッチ２１２間に生じる間隙にシリコンマイクのような小型のマイクロフォン６０が配設されている。
【００３０】
キーパネル２０２は、固定部７０によってシャーシ４０に固定されている。この固定部７０は、キーパネル２０２を構成するラバーシート補強板２０５の縁の四箇所から下方に突出して設けた突出片７０１と、突出片７０１に形成したネジ７０２を貫通させる貫通孔７０３と、シャーシ５０の側壁に形成したネジ穴７０４とから構成されている。ここで、ネジ穴７０４は貫通孔７０３に対応した位置に形成されている。一方、貫通孔７０３に挿通されたネジ７０２はネジ穴７０４に螺合するようになっている。ここで、キートップ２０４は予めラバーシート補強板２０５に貼着されている。
【００３１】
キーパネル２０２には、マイクロフォン６０の上面における溝２０７の交差する位置にマイクロフォン６０へ向けて音声を集音するためのマイク用貫通孔６０１が形成されている。
【００３２】
また、主回路基板４０の裏側には電池収納部が形成され電池８０を収納するように構成されている。
【００３３】
次に、上述した実施例の構成による携帯電話機１の組立てについて図２、図３を参照して説明する。
【００３４】
まず、シャーシ４０の上方半分における上面には表示部３０を取付け、下方半分における上面にはマイクロフォン６０を配設したキー基板２０３を取付ける。そして、シャーシ４０の下方半分における下面には主回路基板５０を取付ける。
【００３５】
次に、キーパネル２０２は突出片７０１がシャーシ４０の側壁に沿うようにシャーシ４０方向に押付け、貫通孔７０３がネジ穴７０４に一致するように位置させる。その後は、貫通孔７０３にネジ７０２を挿通させネジ穴７０４に螺合させ、キーパネル２０２がシャーシ４０に固定されるようネジ止めを行う。
【００３６】
そして、操作部２０、表示部３０などを取付けたシャーシ４０は、キャビネット１０の上面から嵌め込み、キャビネット１０にネジ止めなどによって固定する。このようにしてキーパネル２０２をキャビネット１０に組み込んで携帯電話機１の組立ては完了する。
【００３７】
従って、上述した本発明の実施例による携帯電話機１は、操作部２０でもって操作を行い動作状態が表示部３０によって表示される。
【００３８】
操作部２０の操作は、キーパネル２０２上の複数の操作キーボタン２０１から所望のものを選択して押すことにより行う。押圧された操作キーボタン２０１は枠２０８内のキートップ２０４を撓ませ切欠き部２０９内に臨まされたラバーシート２０６を押す。この押圧力は突出部２１１に伝達されてこれを下層に変位させる。この変位によってキー基板２０３上のスイッチ２１２が作動される。すなわち、押圧された操作キーボタン２０１に対応したスイッチ２１２はラバーシート２０６を介して作動される。
【００３９】
ここで、キーパネル２０２を構成するキートップ２０４の押圧による歪（変形状態）は枠２０８が嵌っている嵌合用溝２１０によって隣接する操作キーボタン２０１のキートップ２０４部分に影響しないように遮断される。そのため、隣接する操作キーボタン２０１のキートップ２０４部分は変形しない。従って、キーパネル２０２は押圧された操作キーボタン２０１に隣接する操作キーボタン２０１に対応するスイッチ２０８が作動されることがない。また、操作キーボタン２０１の境界に施した溝２０７も上記遮断の効果を有する。
【００４０】
キー基板２０３上に配置されたマイクロフォン６０は溝２０７の交差する所に形成されたマイク用貫通孔６０１によって携帯電話機１の前方の音声を集音する。
【００４１】
上述した本発明の実施例によれば、操作面を形成するキーパネル２０２は、その縁部分で取付け部７０によってシャーシ１０の側壁に取付けられ、その後に、箱状のキャビネット１０に前方から組み込まれるので、キーパネル２０２上に支持枠、取付け部材などの部材がない。そのため、キーパネル２０２は面上に操作キーボタン２０１を遮るものがなくなるだけでなく、キーパネル２０２の幅を限りなくキャビネット１０の幅に等しくして広い面積のキーパネル２０２とすることができる。従って、キャビネット１０の幅いっぱいに操作面をとることのできる携帯電話機１が得られる。
【００４２】
また、キャビネット１０は従来のような２個の筐体からなるものでないので、筐体の側面に部品の割り線がなく、しかも簡単な構成である。
【００４３】
また、キーパネル２０２は湾曲しているため表面積が増大され多数の操作キーボタン２０１を大きくして配置することができる。
【００４４】
また、操作キーボタン２０１は細い溝２０７によって区分されるので、操作キーボタン２０１の表面積が境界線によって実質的に低減されない。同時に、溝２０７は押圧された操作キーボタン２０１の変形状態を遮断して隣接する操作キーボタン２０１に影響を与えない。
【００４５】
更に、マイクロフォン６０がスイッチ基板２０３においてスイッチ２１２間に生じる間隙に配されているので、スイッチ基板２０３が有効に利用される。そのため、キャビネット１０にマイクロフォン６０を配置する箇所を必要としないので、操作面はキャビネット１０の表面に大きくとることができる。
【００４６】
このようにして、小型の携帯電話機１において、多数の操作キーボタン２０１を大きな表面積で配置できるので操作性が向上される。
【図面の簡単な説明】
【００４７】
【図１】本発明の実施例にかかる携帯電話機を示す平面図である。
【図２】図１における携帯電話機を分解して示す斜視図である。
【図３】図２におけるキーパネルを分解して示した斜視図である。
【図４】図１におけるＡ−Ａ線断面図である。
【図５】図１におけるＢ−Ｂ線断面図である。
【符号の説明】
【００４８】
１          携帯電話機
１０        キャビネット
２０        操作部
３０        表示部
４０        シャーシ
５０        主回路基板
６０        マイクロフォン
７０        取付け部
２０１      操作キーボタン
２０２      キーパネル
２０３      キー基板
２０４      キートップ
２０５      ラバーシート補強板
２０６      ラバーシート
２０７      溝
２０８      枠
２０９      切欠き部
２１０      嵌合用溝
２１１      突出部
２１２      スイッチ
２１３      切欠き部
６０１      マイク用貫通孔
７０１      突出片
７０２      ネジ
７０３      貫通孔
７０４      ネジ穴
【図１】
2009049957.tif 000003
【図２】
2009049957.tif 000004
【図３】
2009049957.tif 000005
【図４】
2009049957.tif 000006
【図５】
2009049957.tif 000007